(57)【要約】【課題】複数の電池モジュールを繋ぎ合わせて、任意の形状の電池パックを構築すること。【解決手段】電池を内包できる電池パッケージでは、電池パッケージの外側表面に設けられた凸部と、電池パッケージの外側表面に設けられた凹部と、凸部が他の電池パッケージの凹部に嵌め合わされた場合、当該他の電池パッケージの端子に電気的に接続される第１端子と、凹部が他の電池パッケージの凸部に嵌め合わされた場合、当該他の電池パッケージの端子に電気的に接続される第２端子とを備える。【選択図】図１
2010232102.tif 000002
【特許請求の範囲】
【請求項１】
電池を内包できる電池パッケージであって、
前記電池パッケージの外側表面に設けられた凸部と、
前記電池パッケージの外側表面に設けられた凹部と、
前記凸部が他の電池パッケージの凹部に嵌め合わされた場合、当該他の電池パッケージの端子に電気的に接続される第１端子と、
前記凹部が他の電池パッケージの凸部に嵌め合わされた場合、当該他の電池パッケージの端子に電気的に接続される第２端子と
を備える電池パッケージ。
【請求項２】
複数の前記凸部と、
前記複数の凸部に対応して設けられた複数の前記第１端子と、
前記複数の第１端子を電気的に接続する第１配線と
を備え、
前記複数の第１端子のそれぞれは、対応する前記凸部が他の電池パッケージの凹部に嵌め合わされた場合、当該他の電池パッケージの端子に電気的に接続される請求項１に記載の電池パッケージ。
【請求項３】
前記複数の第１端子のそれぞれは、対応する前記凸部の表面に設けられる請求項２に記載の電池パッケージ。
【請求項４】
複数の前記凹部と、
前記複数の凹部に対応して設けられた複数の前記第２端子と、
前記複数の第２端子を電気的に接続する第２配線と
を備え、
前記複数の第２端子のそれぞれは、対応する前記凹部が他の電池パッケージの凸部に嵌め合わされた場合、当該他の電池パッケージの端子に電気的に接続される請求項２または３に記載の電池パッケージ。
【請求項５】
前記複数の第２端子のそれぞれは、対応する前記凹部の表面に設けられる請求項４に記載の電池パッケージ。
【請求項６】
前記電池パッケージは、略直方体の形状を有し、
前記複数の凸部は、前記電池パッケージの第１の面に、前記第１の面の中心に対して対称に設けられ、
前記複数の凹部は、前記第１の面と反対の第２の面に、前記第２の面の中心に対して対称に設けられている請求項５に記載の電池パッケージ。
【請求項７】
前記電池パッケージは、略直方体の形状を有し、
前記複数の凸部および前記複数の凹部のそれぞれは、前記電池パッケージの異なる側面にそれぞれ設けられる請求項５に記載の電池パッケージ。
【請求項８】
前記電池パッケージは、複数の電池を内包でき、
前記複数の電池を直列または並列に接続する第３配線
をさらに備える請求項１から７に電池パッケージ。
【請求項９】
複数の電池と、
前記複数の電池を内包する請求項１から８のいずれかに記載の電池パッケージと
を備える電池モジュール。
【請求項１０】
請求項９に記載の電池モジュールを複数備える電池パック。
【発明の詳細な説明】
【技術分野】
【０００１】
本発明は、電池パッケージ、電池モジュール、および電池パックに関する。
【背景技術】
【０００２】
特許文献１には、複数の太陽電池セルブロックを連結することにより、一つの太陽電池モジュールを形成する技術が記載されている。
【先行技術文献】
【特許文献】
【０００３】
【特許文献１】特開２００６−４９２６８号公報
【発明の概要】
【発明が解決しようとする課題】
【０００４】
しかしながら、従来技術では、複数の電池モジュールを繋ぎ合わせて、任意の形状の電池パックを構築することができない。
【課題を解決するための手段】
【０００５】
上記課題を解決するために、本発明の第１の態様においては、電池を内包できる電池パッケージであって、電池パッケージの外側表面に設けられた凸部と、電池パッケージの外側表面に設けられた凹部と、凸部が他の電池パッケージの凹部に嵌め合わされた場合、当該他の電池パッケージの端子に電気的に接続される第１端子と、凹部が他の電池パッケージの凸部に嵌め合わされた場合、当該他の電池パッケージの端子に電気的に接続される第２端子とを備える。
【０００６】
上記電池パッケージにおいて、複数の凸部と、複数の凸部に対応して設けられた複数の第１端子と、複数の第１端子を電気的に接続する第１配線とを備えてもよく、複数の第１端子のそれぞれは、対応する凸部が他の電池パッケージの凹部に嵌め合わされた場合、当該他の電池パッケージの端子に電気的に接続されてもよい。
【０００７】
上記電池パッケージにおいて、複数の第１端子のそれぞれは、対応する凸部の表面に設けられてもよい。
【０００８】
上記電池パッケージにおいて、複数の凹部と、複数の凹部に対応して設けられた複数の第２端子と、複数の第２端子を電気的に接続する第２配線とを備えてもよく、複数の第２端子のそれぞれは、対応する凹部が他の電池パッケージの凸部に嵌め合わされた場合、当該他の電池パッケージの端子に電気的に接続されてもよい。
【０００９】
上記電池パッケージにおいて、複数の第２端子のそれぞれは、対応する凹部の表面に設けられてもよい。
【００１０】
上記電池パッケージにおいて、電池パッケージは、略直方体の形状を有してもよく、複数の凸部は、電池パッケージの第１の面に、第１の面の中心に対して対称に設けられてもよく、複数の凹部は、第１の面と反対の第２の面に、第２の面の中心に対して対称に設けられてもよい。
【００１１】
上記電池パッケージにおいて、電池パッケージは、略直方体の形状を有してもよく、複数の凸部および複数の凹部のそれぞれは、電池パッケージの異なる側面にそれぞれ設けられてもよい。
【００１２】
上記電池パッケージにおいて、電池パッケージは、複数の電池を内包できてもよく、複数の電池を直列または並列に接続する第３配線をさらに備えてもよい。
【００１３】
本発明の第２の態様においては、電池モジュールであって、複数の電池と、複数の電池を内包する上記電池パッケージとを備える。
【００１４】
本発明の第３の態様においては、電池パックであって、上記電池モジュールを複数備える。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】電池パッケージ１００の外観の一例を示す。
【図２】電池パッケージ１００の内部構成の一例を示す。
【図３】電池パック３００の外観の一例を示す。
【図４】電池パック３００の外観の一例を示す。
【図５】電池パック３００の外観の一例を示す。
【図６】電池パッケージ６００の外観の一例を示す。
【図７】電池パッケージ６００の内部構成の一例を示す。
【図８】電池パック８００の外観の一例を示す。
【図９】電池パック８００の外観の一例を示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、電池パッケージ１００の外観の一例を示す。電池パッケージ１００は、直方体形状の一例としての立方体形状を有する。以降の説明では、電池パッケージ１００の複数の側面のうちの、一の側面を第１側面１０２と示す。また、第１側面１０２に対向する側面を第２側面１０４と示す。また、第１側面１０２に隣接する一方の側面を第３側面１０６と示す。また、第１側面１０２に隣接する他方の側面であって、第３側面１０６に対向する側面を第４側面１０８と示す。
【００１９】
電池パッケージ１００の外側表面には、凸部１１０および凹部１２０が設けられている。具体的には、電池パッケージ１００の複数の側面のそれぞれには、凸部１１０または凹部１２０が設けられている。凸部１１０は、他の電池パッケージ１００の凹部１２０と嵌め合うことができる形状を有する。凹部１２０は、他の電池パッケージ１００の凸部１１０と嵌め合うことができる形状を有する。電池パッケージ１００は、凸部１１０および凹部１２０が設けられていることにより、略立方体形状を有する。
【００２０】
電池パッケージ１００の凸部１１０または凹部１２０と、他の電池パッケージ１００の凹部１２０または凸部１１０とを嵌め合わされた場合、電池パッケージ１００と他の電池パッケージ１００とは、電池パッケージ１００の凸部１１０または凹部１２０が設けられている側面と、他の電池パッケージ１００の凹部１２０または凸部１１０が設けられている側面とが接触した状態で、繋ぎ合わされる。
【００２１】
凸部１１０は、他の電池パッケージ１００の凹部１２０と嵌め合わせた場合に、嵌め合わせが容易に解除されない形状を有する。同様に、凹部１２０は、他の電池パッケージ１００の凸部１１０と嵌め合わせた場合に、嵌め合わせが容易に解除されない形状を有する。たとえば、本実施形態の電池パッケージ１００においては、凸部１１０はアリ状であり、凹部１２０はアリ溝状である。これにより、電池パッケージ１００と他の電池パッケージ１００とは、互いに繋ぎ合わされた状態で確実に固定される。
【００２２】
図１に示す複数の電池パッケージ１００は、それぞれ、凸部１１０および凹部１２０の配置が異なる。たとえば、電池パッケージ１００Ａは、第１側面１０２および第２側面１０４のそれぞれに凸部１１０が設けられ、第３側面１０６および第４側面１０８のそれぞれに凹部１２０が設けられている。また、電池パッケージ１００Ｂは、第１側面１０２、第３側面１０６、および第４側面１０８のそれぞれに凸部１１０が設けられ、第２側面１０４に凹部１２０が設けられている。
【００２３】
また、電池パッケージ１００Ｃは、第１側面１０２に凸部１１０が設けられ、第２側面１０４、第３側面１０６、および第４側面１０８のそれぞれに凹部１２０が設けられている。また、電池パッケージ１００Ｄは、第１側面１０２および第４側面１０８に凸部１１０が設けられ、第２側面１０４および第３側面１０６のそれぞれに凹部１２０が設けられている。
【００２４】
電池パッケージ１００は、第１端子の一例としての＋端子１１２および第２端子の一例としての−端子１２２を備える。＋端子１１２は、凸部１１０が他の電池パッケージ１００の凹部１２０に嵌め合わされた場合、当該他の電池パッケージ１００の端子に電気的に接続される。−端子１２２は、凹部１２０が他の電池パッケージ１００の凸部に嵌め合わされた場合、当該他の電池パッケージ１００の端子に電気的に接続される。
【００２５】
電池パッケージ１００において、＋端子１１２は、凸部１１０に対応して設けられている。具体的には、＋端子１１２は、対応する凸部１１０の表面に設けられている。複数の＋端子１１２のそれぞれは、対応する凸部１１０が他の電池パッケージ１００の凹部１２０に嵌め合わされた場合、当該他の電池パッケージ１００の端子に電気的に接続される。なお、＋端子１１２は、対応する凸部１１０が他の電池パッケージ１００の凹部１２０に嵌め合わされた場合に、他の電池パッケージ１００の端子に電気的に接続されることができる場所であれば、対応する凸部１１０の表面以外の場所に設けられてもよい。
【００２６】
電池パッケージ１００において、−端子１２２は、凹部１２０に対応して設けられている。具体的には、−端子１２２は、対応する凹部１２０の表面に設けられている。複数の−端子１２２のそれぞれは、対応する凹部１２０が他の電池パッケージ１００の凸部１１０に嵌め合わされた場合、当該他の電池パッケージ１００の端子に電気的に接続される。なお、−端子１２２は、対応する凹部１２０が他の電池パッケージ１００の凸部１１０に嵌め合わされた場合に、他の電池パッケージ１００の端子に電気的に接続されることができる場所であれば、対応する凹部１２０の表面以外の場所に設けられてもよい。
【００２７】
図２は、電池モジュール２００の内部構成の一例を示す。電池モジュール２００は、複数の電池２０２と、複数の電池２０２を内包できる電池パッケージ１００を備える。複数の電池２０２は、第３配線２３０によって直列に接続されている。複数の電池２０２は、第３配線２３０によって並列に接続されてもよい。また、電池パッケージ１００が備える複数の＋端子１１２は、第１配線２１０によって電気的に接続される。これにより、電池モジュール２００は、いずれの＋端子１１２が接続された場合でも、電池２０２が発生した電気的エネルギーを供給することができる。また、電池パッケージ１００が備える複数の−端子１２２は、第２配線２２０によって電気的に接続される。これにより、電池モジュール２００は、いずれの−端子１２２が接続された場合でも、電池２０２が発生した電気的エネルギーを供給することができる。
【００２８】
図３〜図５は、電池パック３００の外観の一例を示す。電池パック３００は、電池パッケージ１００を複数備える。たとえば、図３に示す電池パック３００は、複数の電池パッケージ１００が直列状に繋ぎ合わされている。また、図４に示す電池パック３００は、複数の電池パッケージ１００が環状に繋ぎ合わされている。また、図５に示す電池パック３００は、複数の電池パッケージ１００が階段状に繋ぎ合わされている。いずれの電池パック３００においても、複数の電池パッケージ１００は、電気的に直列に接続されている。
【００２９】
たとえば、電池パック３００からの電気エネルギーの供給を受ける装置は、当該装置の＋端子を末端の電池パッケージ１００の＋端子１１２である端子３０２に接続し、当該装置の−端子を他の末端の電池パッケージ１００の−端子１２２である端子３０４に接続することにより、電池パック３００から電気的エネルギーを得ることができる。この場合、上記装置は、上記装置の＋端子が設けられているコネクタを、末端の電池パッケージ１００の凸部１１０に嵌め合わせることで、当該装置の＋端子を末端の電池パッケージ１００の＋端子１１２に接続し、上記装置の−端子が設けられているコネクタを、他の末端の電池パッケージ１００の凹部１２０に嵌め合わせることで、当該装置の−端子を他の末端の電池パッケージ１００の−端子１２２に接続してもよい。
【００３０】
なお、図４に示す電池パック３００において、繋ぎ合わせ面４００では、電池パッケージ１００同士は繋ぎ合わされているが、電気的には接続されていない。電池パッケージ１００は、端子が設けられていない側面を有してもよい。これにより、繋ぎ合わせ面４００のように、電気的な接続をおこなわずに、電池パッケージ同士を繋ぎ合わせることができる。
【００３１】
本実施形態の電池パッケージ１００によれば、側面に他の電池パッケージ１００を繋ぎ合わせることができるので、複数の電池パッケージ１００を繋ぎ合わせることで、任意の形状の電池パック３００を構築することができる。また、凸部１１０および凹部１２０の位置に対応して、＋端子１１２および−端子１２２が設けられているので、凸部１１０と凹部１２０とを嵌め合わせることで、複数の電池パッケージ１００を繋ぎあわせることができるだけでなく、複数の電池パッケージ１００を電気的に接続することができる。また、凸部１１０に設ける端子を＋端子１１２に限定し、凹部１２０に設ける端子を−端子１２２に限定しているので、同じ電極同士が接続されることを防ぐことができる。
【００３２】
図６は、電池パッケージ６００の外観の一例を示す。電池パッケージ６００は、直方体形状を有する。電池パッケージ６００の外側表面には、凸部６１０および凹部６２０が設けられている。具体的には、電池パッケージ６００の上面６０２には、複数の凸部６１０が設けられている。また、電池パッケージ６００の下面６０４には、複数の凹部６２０が設けられている。凸部６１０は、他の電池パッケージ６００の凹部６２０と嵌め合うことができる形状を有する。凹部６２０は、他の電池パッケージ６００の凸部６１０と嵌め合うことができる形状を有する。
【００３３】
電池パッケージ６００の凸部６１０または凹部６２０と、他の電池パッケージ６００の凹部６２０または凸部６１０とを嵌め合わされた場合、電池パッケージ６００と他の電池パッケージ６００とは、電池パッケージ６００の凸部６１０または凹部６２０が設けられている側面と、他の電池パッケージ６００の凹部６２０または凸部６１０が設けられている側面とが接触した状態で、繋ぎ合わされる。
【００３４】
凸部６１０は、他の電池パッケージ６００の凹部６２０と嵌め合わせた場合に、嵌め合わせが容易に解除されない形状を有する。同様に、凹部６２０は、他の電池パッケージ６００の凸部６１０と嵌め合わせた場合に、嵌め合わせが容易に解除されない形状を有する。たとえば、本実施形態の電池パッケージ６００においては、凸部６１０はダボ状であり、凹部６２０はダボ穴状である。これにより、電池パッケージ６００と他の電池パッケージ６００とは、互いに繋ぎ合わされた状態で確実に固定される。
【００３５】
図６に示す複数の電池パッケージ６００は、上面６０２および下面６０４に平行な面の断面形状が異なる。たとえば、電池パッケージ６００Ａおよび電池パッケージ６００Ｂは、上記断面形状が、略正方形状を有する。一方、電池パッケージ６００Ｃは、上記断面形状が、長方形状を有する。
【００３６】
また、図６に示す複数の電池パッケージ６００は、および凸部６１０および凹部６２０の数が異なる。たとえば、電池パッケージ６００Ａおよび電池パッケージ６００Ｂにおいては、上面６０２に、上面６０２の中心を対称に４つの凸部６１０が設けられ、下面６０４に、下面６０４の中心を対称に４つの凹部６２０が設けられている。一方、電池パッケージ６００Ｃにおいては、上面６０２に、上面６０２の中心を対称に８つの凸部６１０が設けられ、下面６０４に、下面６０４の中心を対称に８つの凹部６２０が設けられている。
【００３７】
電池パッケージ６００は、第１端子の一例としての＋端子６１２および第２端子の一例としての−端子６２２を備える。
【００３８】
電池パッケージ６００Ａおよび電池パッケージ６００Ｃにおいては、＋端子６１２は、凸部６１０が他の電池パッケージ６００の凹部６２０に嵌め合わされた場合、当該他の電池パッケージ６００の端子に電気的に接続される。−端子６２２は、凹部６２０が他の電池パッケージ６００の凸部に嵌め合わされた場合、当該他の電池パッケージ６００の端子に電気的に接続される。
【００３９】
電池パッケージ６００Ａおよび電池パッケージ６００Ｃにおいて、＋端子６１２は、凸部６１０に対応して設けられている。具体的には、＋端子６１２は、対応する凸部６１０の表面に設けられている。複数の＋端子６１２のそれぞれは、対応する凸部６１０が他の電池パッケージ６００の凹部６２０に嵌め合わされた場合、当該他の電池パッケージ６００の端子に電気的に接続される。なお、＋端子６１２は、対応する凸部６１０が他の電池パッケージ６００の凹部６２０に嵌め合わされた場合に、他の電池パッケージ６００の端子に電気的に接続されることができる場所であれば、対応する凸部６１０の表面以外の場所に設けられてもよい。
【００４０】
電池パッケージ６００Ａおよび電池パッケージ６００Ｃにおいて、−端子６２２は、凹部６２０に対応して設けられている。具体的には、−端子６２２は、対応する凹部６２０の表面に設けられている。複数の−端子６２２のそれぞれは、対応する凹部６２０が他の電池パッケージ６００の凸部６１０に嵌め合わされた場合、当該他の電池パッケージ６００の端子に電気的に接続される。なお、−端子６２２は、対応する凹部６２０が他の電池パッケージ６００の凸部６１０に嵌め合わされた場合に、他の電池パッケージ６００の端子に電気的に接続されることができる場所であれば、対応する凹部６２０の表面以外の場所に設けられてもよい。
【００４１】
一方、電池パッケージ６００Ｂにおいては、＋端子６１２は、凸部６１０に対応して設けられている。具体的には、＋端子６１２は、対応する凸部６１０の表面に設けられている。凸部６１０の表面に設けられている＋端子６１２のそれぞれは、対応する凸部６１０が他の電池パッケージ６００の凹部６２０に嵌め合わされた場合、当該他の電池パッケージ６００の端子に電気的に接続される。なお、凸部６１０に対応する＋端子６１２は、対応する凸部６１０が他の電池パッケージ６００の凹部６２０に嵌め合わされた場合に、他の電池パッケージ６００の端子に電気的に接続されることができる場所であれば、対応する凸部６１０の表面以外の場所に設けられてもよい。
【００４２】
また、＋端子６１２は、凹部６２０にも対応して設けられている。具体的には、＋端子６１２は、対応する凹部６２０の表面にも設けられている。凹部６２０の表面に設けられている＋端子６１２のそれぞれは、対応する凹部６２０が他の電池パッケージ６００の凸部６１０に嵌め合わされた場合、当該他の電池パッケージ６００の端子に電気的に接続される。なお、凹部６２０に対応する＋端子６１２は、対応する凹部６２０が他の電池パッケージ６００の凸部６１０に嵌め合わされた場合に、他の電池パッケージ６００の端子に電気的に接続されることができる場所であれば、対応する凹部６２０の表面以外の場所に設けられてもよい。
【００４３】
また、電池パッケージ６００Ｂにおいては、−端子６２２は、凹部６２０に対応して設けられている。具体的には、−端子６２２は、対応する凹部６２０の表面に設けられている。凹部６２０の表面に設けられている−端子６２２のそれぞれは、対応する凹部６２０が他の電池パッケージ６００の凸部６１０に嵌め合わされた場合、当該他の電池パッケージ６００の端子に電気的に接続される。なお、凹部６２０に対応する−端子６２２は、対応する凹部６２０が他の電池パッケージ６００の凸部６１０に嵌め合わされた場合に、他の電池パッケージ６００の端子に電気的に接続されることができる場所であれば、対応する凹部６２０の表面以外の場所に設けられてもよい。
【００４４】
また、−端子６２２は、凸部６１０にも対応して設けられている。具体的には、−端子６２２は、対応する凸部６１０の表面にも設けられている。凸部６１０の表面に設けられている−端子６２２のそれぞれは、対応する凸部６１０が他の電池パッケージ６００の凹部６２０に嵌め合わされた場合、当該他の電池パッケージ６００の端子に電気的に接続される。なお、凸部６１０に対応する−端子６２２は、対応する凸部６１０が他の電池パッケージ６００の凹部６２０に嵌め合わされた場合に、他の電池パッケージ６００の端子に電気的に接続されることができる場所であれば、対応する凸部６１０の表面以外の場所に設けられてもよい。
【００４５】
電池パッケージ６００Ｂにおいては、＋端子６１２が設けられている凸部６１０と、−端子６２２が設けられている凸部６１０とでは、形状が異なる。また、電池パッケージ６００Ｂにおいては、＋端子６１２が設けられている凹部６２０と、−端子６２２が設けられている凹部６２０とでは、形状が異なる。＋端子６１２が設けられている凸部６１０は、−端子６２２が設けられている凹部６２０と嵌め合うことができる形状を有する。＋端子６１２が設けられている凹部６２０は、−端子６２２が設けられている凸部６１０と嵌め合うことができる形状を有する。具体的には、＋端子６１２が設けられている凸部６１０および−端子６２２が設けられている凹部６２０は、円柱形状を有する。一方、＋端子６１２が設けられている凹部６２０および−端子６２２が設けられている凸部６１０は、角柱形状を有する。
【００４６】
図７は、電池モジュール７００の内部構成の一例を示す。電池モジュール７００は、複数の電池７０２と、複数の電池７０２を内包できる電池パッケージ６００を備える。複数の電池７０２は、第３配線７３０によって直列に接続されている。複数の電池７０２は、第３配線７３０によって並列に接続されてもよい。
【００４７】
電池パッケージ６００が備える複数の＋端子６１２は、第１配線７１０によって電気的に接続される。これにより、電池モジュール７００は、いずれの＋端子６１２が接続された場合でも、電池７０２が発生した電気的エネルギーを供給することができる。電池モジュール７００は、複数の凸部６１０のそれぞれを、他の電池モジュール７００の凹部６２０に嵌め合わせることができ、この場合、一部の凸部６１０における＋端子６１２の接続状態が悪い場合でも、他の凸部６１０における＋端子６１２が接続されていることで、確実に電池モジュール７００同士を電気的に接続することができる。
【００４８】
電池パッケージ６００が備える複数の−端子６２２は、第２配線７２０によって電気的に接続される。これにより、電池モジュール７００は、いずれの−端子６２２が接続された場合でも、電池７０２が発生した電気的エネルギーを供給することができる。電池モジュール７００は、複数の凹部６２０のそれぞれを、他の電池モジュール７００の凸部６１０に嵌め合わせることができ、この場合、一部の凹部６２０における−端子６２２の接続状態が悪い場合でも、他の凹部６２０における−端子６２２が接続されていることで、確実に電池モジュール７００同士を電気的に接続することができる。
【００４９】
図８および図９は、電池パック８００の外観の一例を示す。電池パック８００は、電池パッケージ６００を複数備える。複数の電池パッケージ６００は、電気的に直列に接続されている。
【００５０】
たとえば、図８に示す電池パック８００は、複数の電池パッケージ６００が重ねて繋ぎ合わされている。具体的には、下段の電池パッケージ６００の上面に設けられた４つの凸部６１０と、中段の電池パッケージ６００の下面６０４に設けられた４つの凹部とが嵌め合わされることで、下段の電池パッケージ６００と中段の電池パッケージ６００とが重ねて繋ぎ合わされている。さらに、中段の電池パッケージ６００の上面に設けられた４つの凸部６１０と、上段の電池パッケージ６００の下面６０４に設けられた４つの凹部６２０とが嵌め合わされることで、中段の電池パッケージ６００と上段の電池パッケージ６００とが重ねて繋ぎ合わされている。なお、少なくとも、電池パッケージ６００の上面に設けられた１つの凸部６１０と、他の電池パッケージ６００の下面６０４に設けられた１つの凹部６２０とが嵌め合わされることで、電池パッケージ６００と他の電池パッケージ６００とを重ねて繋ぎ合わすことができる。
【００５１】
たとえば、図８に示す電池パック８００からの電気エネルギーの供給を受ける装置は、当該装置の＋端子を上段の電池パッケージ６００の＋端子１１２に接続し、当該装置の−端子を下段の電池パッケージ６００の−端子１２２に接続することにより、電池パック８００から電気的エネルギーを得ることができる。この場合、上記装置は、上記装置の＋端子が設けられているコネクタを、上段の電池パッケージ６００の凸部６１０に嵌め合わせることで、当該装置の＋端子を上段の電池パッケージ６００の＋端子１１２に接続し、上記装置の−端子が設けられているコネクタを、下段の電池パッケージ６００の凹部６２０に嵌め合わせることで、当該装置の−端子を下段の電池パッケージ６００の−端子１２２に接続してもよい。
【００５２】
また、図９に示す電池パック８００は、並設された複数の電池パッケージ６００に対して、一つの電池パッケージ６００が重ねて繋ぎ合わされている。具体的には、下段の電池パッケージ６００の上面６０２に設けられた、−端子６２２が設けられている２つの凸部６１０と、上段の電池パッケージ６００の下面６０４に設けられた、＋端子６１２が設けられている２つの凹部６２０とが嵌め合わされることで、下段の電池パッケージ６００と上段の電池パッケージ６００とが重ねて繋ぎ合わされている。さらに、上段の電池パッケージ６００の下面６０４に設けられた、−端子６２２が設けられている２つの凹部６２０と、他の下段の電池パッケージ６００の上面６０２に設けられた、＋端子６１２が設けられている２つの凸部６１０とが嵌め合わされることで、上段の電池パッケージ６００と他の下段の電池パッケージ６００とが重ねて繋ぎ合わされている。
【００５３】
たとえば、図９に示す電池パック８００からの電気エネルギーの供給を受ける装置は、当該装置の＋端子を下段の電池パッケージ６００の＋端子１１２に接続し、当該装置の−端子を他の下段の電池パッケージ６００の−端子１２２に接続することにより、電池パック８００から電気的エネルギーを得ることができる。この場合、上記装置は、上記装置の＋端子が設けられているコネクタを、下段の電池パッケージ６００の＋端子１１２が設けられている凸部６１０または凹部６２０に嵌め合わせることで、当該装置の＋端子を下段の電池パッケージ６００の＋端子１１２に接続し、上記装置の−端子が設けられているコネクタを、他の下段の電池パッケージ６００の−端子１２２が設けられている凸部６１０または凹部６２０に嵌め合わせることで、当該装置の−端子を他の下段の電池パッケージ６００の−端子１２２に接続してもよい。
【００５４】
本実施形態の電池パッケージ６００によれば、上面６０２および下面６０４に他の電池パッケージ６００を繋ぎ合わせることができるので、複数の電池パッケージ６００を繋ぎ合わせることにより、任意の形状の電池パックを構築することができる。また、凸部６１０および凹部６２０の位置に対応して、＋端子６１２および−端子６２２が設けられているので、凸部６１０と凹部６２０とを嵌め合わせるだけで、複数の電池パッケージ６００を繋ぎあわせることができるだけでなく、複数の電池パッケージ６００を電気的に接続することができる。また、＋端子６１２が設けられている凸部６１０、−端子６２２が設けられている凸部６１０、＋端子６１２が設けられている凹部６２０、および−端子６２２が設けられている凹部６２０をそれぞれ設けた場合、＋端子６１２が設けられている凸部６１０と＋端子６１２が設けられている凹部６２０との形状を異ならせ、−端子６２２が設けられている凸部６１０と＋端子６１２が設けられている凹部６２０との形状を異ならせているので、同じ電極同士が接続されることを防ぐことができる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５６】
１００  電池パッケージ、１０２  第１側面、１０４  第２側面、１０６  第３側面、１０８  第４側面、１１０  凸部、１２０  凹部、１１２  ＋端子、１２２  −端子、２００  電池モジュール、２０２  電池、２１０  第１配線、２２０  第２配線、２３０  第３配線、３００  電池パック、３０２  端子、３０４  端子、４００  繋ぎ合わせ面、６００  電池パッケージ、６０２  上面、６０４  下面、６１０  凸部、６２０  凹部、６１２  ＋端子、６２２  −端子、７００  電池モジュール、７０２  電池、７１０  第１配線、７２０  第２配線、７３０  第３配線、８００  電池パック
【図１】
2010232102.tif 000003
【図２】
2010232102.tif 000004
【図３】
2010232102.tif 000005
【図４】
2010232102.tif 000006
【図５】
2010232102.tif 000007
【図６】
2010232102.tif 000008
【図７】
2010232102.tif 000009
【図８】
2010232102.tif 000010
【図９】
2010232102.tif 000011